(57)【要約】      （修正有）【課題】店舗内に流入する高温の外気に対して適切に対応可能な冷却システムを提供する。【解決手段】建築物を構成する部屋（店舗）１の天井面の一部分に、部屋１内の温度の高い空気が滞留するトラップ部１２０を設ける。そして、トラップ部１２０に滞留する空気の情報を取得するセンサ（温度センサ、湿度センサ）１３０，１４０を設ける。部屋１に設置される冷却装置付きのショーケース１１０は、センサ１３０，１４０の取得する情報を用いて、庫内の冷却に関する動作を制御する。【選択図】図１
2015148351.tif 000002
【特許請求の範囲】
【請求項１】
建物を構成する部屋の天井面の一部分に、前記部屋内の温度の高い空気が滞留するように形成したトラップ部と、
前記トラップ部に滞留している空気に関する情報を取得するセンサと、
前記部屋内に設置される冷却装置付きのショーケースと、を備え、
前記ショーケースは、前記センサが取得する情報を用いて、庫内の冷却に関する動作を制御する
ことを特徴とする冷却システム。
【請求項２】
前記部屋は壁面を有し、当該壁面には、出入口が設けられ、
前記トラップ部は、前記出入口付近であって、前記出入口の上方に設けられ、
前記トラップ部には、前記出入口から前記部屋内に流入した前記部屋内にあった空気よりも温度の高い空気を滞留する
ことを特徴とする請求項１に記載の冷却システム。
【請求項３】
前記トラップ部は、前記天井面の一部を窪ませて形成される
ことを特徴とする請求項１又は２に記載の冷却システム。
【請求項４】
前記トラップ部は、前記出入口から流入し、前記天井を伝って前記部屋の奥方向に流入する空気をせき止める衝立を、建物の天井面に設けて形成される
ことを特徴とする請求項２に記載の冷却システム。
【請求項５】
前記センサは、前記トラップ部に滞留している空気の温度、及び／又は、湿度を測定し、
前記ショーケースは、前記センサが測定した温度、及び／又は、湿度を用いて、庫内の冷却に関する動作を制御する
ことを特徴とする請求項１〜４の何れか１項に記載の冷却システム。
【請求項６】
前記ショーケースは、さらに、前記ショーケースで発生する結露を防ぐ防露装置を備え、
前記センサが測定した温度、及び／又は、湿度が所定値以上の場合、前記防露装置の防露能力を増大させる
請求項５に記載の冷却システム。
【請求項７】
前記ショーケースは、前記センサが測定した温度、及び／又は、湿度が所定値以上の場合、前記冷却装置の冷却能力を増大させる
請求項５又は６に記載の冷却システム。
【請求項８】
前記ショーケースは、さらに、ショーケース内部の除霜を行う除霜装置を備え、
前記センサが測定した温度、及び／又は、湿度が所定値以上の場合、通常時よりも長い除霜間隔で前記除霜装置を動作させる
請求項５〜７の何れか１項に記載の冷却システム。
【請求項９】
前記ショーケースは、さらに、庫内を照らす照明装置を備え、
前記センサが測定した温度、及び／又は、湿度が所定値以上の場合、前記照明装置を減灯させる
請求項５〜８の何れか１項に記載の冷却システム。
【請求項１０】
前記ショーケースは、さらに、前記ショーケースで発生する結露を防ぐ防露装置を備え、
前記センサが測定した温度、及び／又は、湿度の上昇幅が所定値以上の場合、前記防露装置の防露能力を増大させる
請求項５に記載の冷却システム。
【請求項１１】
前記ショーケースは、前記センサが測定した温度、及び／又は、湿度の上昇幅が所定値以上の場合、前記冷却装置の冷却能力を増大させる
請求項５又は１０に記載の冷却システム。
【請求項１２】
前記ショーケースは、さらに、ショーケース内部の除霜を行う除霜装置を備え、
前記センサが測定した温度、及び／又は、湿度の上昇幅が所定値以上の場合、通常時よりも長い除霜間隔で前記除霜装置を動作させる
請求項５、１０〜１１の何れか１項に記載の冷却システム。
【請求項１３】
前記ショーケースは、さらに、庫内を照らす照明装置を備え、
前記センサが測定した温度、及び／又は、湿度の上昇幅が所定値以上の場合、前記照明装置を減灯させる
請求項５、１０〜１２の何れか１項に記載の冷却システム。
【請求項１４】
部屋と、
前記部屋の天井面の一部分に、前記部屋内の温度の高い空気が滞留するように形成したトラップ部と、
前記トラップ部に滞留している空気に関する情報を取得するセンサと、
前記部屋内に設置される冷却装置付きのショーケースと、を備え、
前記ショーケースは、前記センサが取得する情報を用いて冷却に関する動作を制御する
ことを特徴とする建築物。
【請求項１５】
前記部屋は壁面を有し、当該壁面には、出入口が設けられ、
前記トラップ部は、前記出入口付近であって、前記出入口の上方に設けられ、
前記トラップ部には、前記出入口から前記部屋内に流入した前記部屋内にあった空気よりも温度の高い空気を滞留する
ことを特徴とする請求項１４に記載の建築物。
【請求項１６】
前記トラップ部は、前記天井面の一部を凹ませて形成される
ことを特徴とする請求項１４又は１５に記載の建築物。
【請求項１７】
前記トラップ部は、前記出入口から前記天井を伝って前記部屋の奥方向に流入する空気をせき止める衝立を、建物の天井面に設けて形成される
ことを特徴とする請求項１５に記載の建築物。
【発明の詳細な説明】
【技術分野】
【０００１】
本発明は、庫内を冷却するショーケースの動作を、店舗内に流入する空気に応じて制御する冷却システムに関する。
【背景技術】
【０００２】
コンビニエンスストア等において、冷却装置付きのショーケースを利用して、ショーケースの庫内に陳列された商品を最適な温度に冷却して販売することが一般的に行われている。
このようなショーケースには、結露防止のため防露ヒーターを内蔵したもの（例えば、特許文献１参照。）や、着霜防止のための除霜ヒーターを内蔵したもの（例えば、特許文献２参照。）がある。
【先行技術文献】
【特許文献】
【０００３】
【特許文献１】特開平８−２３３４３３号公報
【特許文献２】特開平９−２６９１７９号公報
【発明の概要】
【発明が解決しようとする課題】
【０００４】
ところで、夏場、顧客が出入りするために店舗のドアが開閉されることによって店舗内に高温の外気が流入して店舗内の温度が上昇すると、店舗内に設置されたショーケースに様々な影響を与える可能性がある。
例えば、冷却装置付きのショーケースでは、ショーケース周囲の温度が上昇すると、庫内に陳列中の商品を冷却しきれずに、陳列中の商品の劣化を招く恐れがある。
【０００５】
本発明は、上記従来の課題を解決するために成されたものであり、店舗内に流入する高温の外気に対して適切に対応可能な冷却システムを提供するものである。
【課題を解決するための手段】
【０００６】
上記課題を解決するため、本発明の１態様に係る冷却システムは、建物を構成する部屋の天井面の一部分に、前記部屋内の温度の高い空気が滞留するように形成したトラップ部と、前記トラップ部に滞留している空気に関する情報を取得するセンサと、前記部屋内に設置される冷却装置付きのショーケースと、を備え、前記ショーケースは、前記センサが取得する情報を用いて、庫内の冷却に関する動作を制御することを特徴とする。
【発明の効果】
【０００７】
店舗内に流入する高温の外気は、店舗内に拡散する前にトラップ部に滞留する。従って、ショーケースは、トラップ部に滞留する空気に関する情報を取得することで、店舗内に流入する高温の外気に対して、ショーケースの周囲の温度が上昇する前に、対応することができる。
【図面の簡単な説明】
【０００８】
【図１】店舗の一部切欠斜視図
【図２】店舗平面図
【図３】店舗側面図
【図４】空気調和システムのシステム構成
【図５】空気調和機の内部構造の簡略図
【図６】空気調和機の機能ブロック図
【図７】ショーケースの外観図
【図８】ショーケースの内部構造を示す側面簡略図
【図９】ショーケースの機能ブロック図
【図１０】空気調和機の動作を示すフローチャート
【図１１】ショーケースの冷却処理に関する動作を示すフローチャート
【図１２】ショーケースの除霜処理に関する動作を示すフローチャート
【図１３】ショーケースの防露処理に関する動作を示すフローチャート
【図１４】ショーケースの庫内照明制御処理に関する動作を示すフローチャート
【図１５】トラップ部の別形成例
【図１６】（ａ）、（ｂ）はトラップ部の別形状例
【図１７】図１６（ｂ）に係るトラップ部の形状を示す店舗平面図
【図１８】遮へい部の構成例
【図１９】遮へい部の別構成例
【図２０】トラップ部の構成例
【発明を実施するための形態】
【０００９】
以下、本発明に係る空気調和システムについて説明する。
＜実施の形態１＞
本発明に係る空気調和システムの一実施形態について、図面を参照しながら説明する。
＜構成＞
本実施の形態においては、本発明に係る空気調和システムを店舗に設ける場合の一例を説明する。なお、本実施の形態１においては、時期的に暑い季節に店舗内を冷却する必要のある状態を想定して記載する。即ち、店舗外の外気温は、店舗内の室内温度よりも高い状態である。
【００１０】
図１は、空気調和システムを備えた一店舗の一点透視図であって、一部切欠斜視図である。また、図２は、当該店舗を天頂方向から見た場合の平面図であり、図３は、図１に示す状態の店舗を右側から見た場合の側面図である。なお、本明細書においては、店舗１の構成を示す図面については、図面を見やすくするために、必要最小限の内容のみを記載していることに留意されたい。
【００１１】
図１〜図３に示すように、本発明に係る空気調和システムにおいては、ドア１０側の天上部分に、他の天井部分よりも一段高くなるように構成されたトラップ部１２０を備える。トラップ部１２０は、他の天井部分よりも高く構成されているため、温度の高い空気は上昇するという自然法則により、店舗１内の他の部分に比して、より温度の高い空気が滞留しやすい構造となる。より温度の高い空気が滞留する構造とするために、トラップ部１２０は、ドア１０から見た店舗１の室内の横幅よりも狭い領域に設けられるのが望ましい。トラップ部１２０は、一例として、例えば、天井の一部（天井板）を取り払い、残された天井板と、天井板を取り払うことで見える天井とをつなぐようにして側壁の板を貼接することで形成できる。
【００１２】
当該店舗においては、トラップ部１２０よりも一段低く構成されている天井部分の天井裏に空気調和機１００が設けられる。
そして、トラップ部１２０に接する（面する）ように空気調和機１００の吸気口１０１が設けられる。こうすることで、トラップ部１２０に滞留する店舗１内のより温度の高い空気を吸い込んで冷却することができるので、冷却効率が高くなる。
【００１３】
空気調和機１００は、冷却機能を有する一般的な空調設備と同等の機能を有するものであり、吸気口１０１から吸い込まれた温度の高い空気が、空気調和機内部を通って、冷却され、冷風が送風口１０５から送出される。この場合、吸気口１０１はトラップ部１２０側、送風口１０５は、トラップ部１２０とは反対側に構成することで、トラップ部１２０に集めた店舗１内の温度の高い空気をかき乱すことなく、トラップ部１２０に滞留する店舗１内のより温度の高い空気を吸い込んで冷却することができる。
【００１４】
店舗１のドア１０から見て奥側には冷却機能付きのショーケース１１０が設けられる。冷却機能付きのショーケース１１０は、庫内の商品の温度を一定に保つ必要があるため、急激な温度変化が予測されるドア１０付近よりも、店舗１の奥の方に配されるのが望ましい。つまり、ショーケース１１０が店舗１の奥に設けられるのは、出入口から流入する熱気の影響をできるだけ受けないようにするためである。また、ショーケース１１０がオープンケースの場合、前面上部から冷却された空気を下方に向けて噴出してエアーカーテンを形成して庫内を冷却しているが、このエアーカーテンを補強するように冷風を送風口１０５から送出して、エアーカーテン効果を高めることもできる。
【００１５】
空気調和機１００の送風口１０５は、ショーケース１１０の上方に設けられる。これは、送風口１０５から送出された冷風により、ショーケース１１０周辺の空気の温度を下げるためである。これにより、ショーケース１１０周辺の急激な温度上昇というような事態を招く可能性を低くすることができる。
トラップ部１２０には、更に、そこに接するように温度センサ１３０、湿度センサ１４０が設けられており、トラップ部１２０に滞留する空気の温度および湿度を検出する。検出した温度や湿度は、空気調和機１００およびショーケース１１０に伝達され、冷却処理等の処理の際に参照され、制御が行われる。
【００１６】
図１においては、温度センサ１３０、湿度センサ１４０は吸気口１０１横に配しているが、これは、その限りではなく、トラップ部１２０に滞留する空気の状態を検出できるのであれば、その配置箇所は吸気口１０１横に限定されるものではなく、トラップ部１２０に接するように設けられていればよい。
図４は、空気調和システムのシステム構成を模式的に示したシステム図である。図４に示すように空気調和システムは、空気調和機１００と、ショーケース１１０と、トラップ部１２０と、温度センサ１３０と、湿度センサ１４０とから構成される。
【００１７】
図４に示すように、空気調和機１００は、トラップ部１２０に設けられている温度センサ１３０と、湿度センサ１４０と、ショーケース１１０と通信可能なように接続される。当該接続は、有線接続であっても無線接続であってもよい。
また、ショーケース１１０は、トラップ部１２０に設けられている温度センサ１３０と、湿度センサ１４０と、空気調和機１００と通信可能なように接続される。当該接続は、有線接続であっても無線接続であってもよい。
【００１８】
温度センサ１３０は、トラップ部１２０に設けられ、トラップ部１２０の空気の温度を検出し、逐次、空気調和機１００およびショーケース１１０に検出した温度を伝達する機能を有する。
湿度センサ１４０は、トラップ部１２０に設けられ、トラップ部１２０の空気の湿度を検出し、逐次、空気調和機１００およびショーケース１１０に検出した湿度を伝達する機能を有する。
図５は、空気調和機１００の内部構成の簡略図である。
【００１９】
空気調和機１００は、吸気口１０１から吸入された空気が、内部を通過して、送風口１０５から送出できるように構成されている。
図５に示すように、吸気口１０１から流入した空気は、フィルタ１０２で空気中の埃やごみが濾過された後、冷却器１０３（冷却コイルともいう）により冷却される。そして、冷却された空気は、送風ファン１０４が回転することにより、空気の流れが形成され、送風口１０５から送出される。送風ファン１０４の回転数により、吸気口１０１からの吸気度合や、送風口１０５からの送出度合が定まる。即ち、回転数が高いほど、吸気度合および送出度合が高くなる。また、冷却器１０３による冷却度合により送風口１０５から送出される空気の温度が定まる。
【００２０】
図６は、空気調和機１００の機能構成を示すブロック図である。
図６に示すように、空気調和機１００は、冷却器１０３と、送風ファン１０４と、通信部６０１と、記憶部６０２と、制御部６０５とを含んで構成される。
冷却器１０３は、内部を通過する冷媒により、冷却器１０３に触れる空気を冷却する。冷却の度合いの制御（温度制御）については、従来と同様であるので、詳細については割愛する。
【００２１】
送風ファン１０４は、制御部６０５からの指示に従って、モーターが駆動して、回転する機能を有し、送風ファン１０４が回転することにより、送風口１０５から冷却された空気が送出される。また、この回転により、空気調和機１００内部の空気の流れ（吸気口１０１から送風口１０５までの流れ）を形成する。したがって、送風ファン１０４の回転数により、吸気口１０１から吸い込む空気の量が変わる。
【００２２】
通信部６０１は、空気調和機１００と接続されている各機器と通信を実行する機能を有する。通信部６０１は、温度センサ１３０から温度に関する情報を含む信号を受信し、復調して、制御部６０５に伝達する。また、通信部６０１は、湿度センサ１４０から湿度に関する情報を含む信号を受信し、制御部６０５に伝達する。そして、通信部６０１は、ショーケース１１０から防露ヒーター１１２あるいは除霜ヒーター１１３、照明装置１１６の稼働を示す信号を受信して、制御部６０５に伝達する。
【００２３】
記憶部６０２は、空気調和機１００が動作上必要とするプログラムやデータを記憶する機能を有し、例えば、ＲＡＭ（Random Access Memory）、ＲＯＭ（Read Only Memory）、フラッシュメモリ、ＨＤＤ（Hard Disc Drive）などにより実現される。
制御部６０５は、プロセッサであり、空気調和機１００の各部を制御する機能を有する。制御部６０５は、店舗１内の温度状況や、湿度状況に応じて、冷却処理や湿度調整処理等の一般的な空気調和機が実行可能な処理の他、特に以下の処理を実行する機能を有する。
【００２４】
制御部６０５は、温度センサ１３０から伝達された温度、湿度センサ１４０から伝達された湿度について、それぞれに対して設定された閾値との比較を行って、その比較結果に応じた冷却処理の制御を行う機能を有する。
具体的には、制御部６０５は、温度センサ１３０から伝達された温度と、予め設定されている閾値ＴＡ１とを比較するとともに、湿度センサ１４０から伝達された湿度と、予め設定されている閾値ＨＡ１とを比較する。そして、温度センサ１３０から伝達された温度が閾値ＴＡ１以上、かつ、湿度センサ１４０から伝達された湿度が閾値ＨＡ１以上を満たす場合に、制御部６０５は空気調和機１００の冷却能力を強める。冷却能力を強める手法については、従来から空気調和機で利用されている技術を利用するものとし、ここではその詳細については説明を割愛する。
【００２５】
また、制御部６０５は、上述の条件を満たさない場合に、温度センサ１３０から伝達された温度と、予め設定されている閾値ＴＡ２とを比較するとともに、湿度センサ１４０から伝達された湿度と、予め設定されている閾値ＨＡ２とを比較する。そして、温度センサ１３０から伝達された温度が閾値ＴＡ２未満、かつ、湿度センサ１４０から伝達された湿度が閾値ＨＡ２未満を満たす場合に、制御部６０５は空気調和機１００の冷却能力を弱める。冷却能力を弱める手法については、従来から空気調和機で利用されている技術を利用するものとし、ここではその詳細については説明を割愛する。
【００２６】
また、制御部６０５は、その他に、ショーケース１１０から、防露ヒーター１１２あるいは除霜ヒーター１１３、照明装置１１６を稼働させる旨を伝達された場合には、冷却能力を強める機能も有する。ショーケース１１０が防露ヒーター１１２や除霜ヒーター１１３、照明装置１１６を稼働させる場合には、ショーケース１１０に熱負荷が発生してショーケース１１０の冷却能力が低下するので、空気調和機１００がより強く冷却することで、ショーケース１１０の冷却能力を補うことができる。
図７は、ショーケース１１０の外観図であり、図８は、ショーケース１１０を図７に示す状態の右側面から見た場合の側面図を示している。なお、図８に示す側面図は、ショーケース１１０における空気の流れを示すために断面の簡略図を記載している。
【００２７】
図８に示すように、ショーケース１１０は、冷却器１１１と、防露ヒーター１１２と、除霜ヒーター１１３、照明装置１１６、送風ファン１１７と、吸入ファンとを含んで構成される冷却機能付きのショーケースである。
ショーケース１１０においては、吐出口１１４から冷却された空気が噴出される。吐出口１１４から噴出した冷却された空気は、一種のエアーカーテン効果により、外部から比較的温度の高い空気の庫内への流入を防止するとともに、この冷却された空気が庫内を循環することで、ショーケース内は冷却され一定の温度に保たれる。
【００２８】
吐出口１１４から噴出した空気は、下方にいけばいくほど、エアーカーテン効果が薄れるため、下部側では、外部の比較的温度の高い空気が流入しやすくなる。しかし、その比較的温度の高い空気は吸込口１１５から吸い込まれ、ショーケース１１０内のパイプを通過し、冷却器１１１に触れることで冷却され、吐出口１１４から噴出されることになる。
図９は、ショーケース１１０の機能構成を示すブロック図である。
【００２９】
図９に示すようにショーケース１１０は、冷却器１１１と、防露ヒーター１１２と、除霜ヒーター１１３と、通信部９０１と、記憶部９０２と、制御部９０６とを含んで構成される。
冷却器１１１は、図８に示すように、冷却器１１１付近を通過する空気を冷却する。
防露ヒーター１１２は、ショーケース１１０において商品を陳列する上で見栄えが悪くならないように、また、結露による水滴が商品を濡らさないように、結露しやすい箇所に設けられ、制御部９０６により、適宜、加熱されて結露を防止する。図８においては、一例として、吐出口１１４周辺の金属部品に、防露ヒーター１１２を備える場合を図示しているが、結露しやすい箇所であれば商品の冷却に支障を来さない範囲で、どこに設置されてもよい。防露ヒーター１１２は例えば、電熱線により実現される。
【００３０】
除霜ヒーター１１３は、ショーケース１１０において、温度が低下しすぎて、霜が発生しないように、霜が発生しやすい箇所に設けられ、制御部９０６により、適宜、加熱されて、霜の発生を防止する。図８においては、一例として、冷気が当たりやすく霜が発生しやすい吸込口１１５付近と、最も冷却され霜が発生しやすい冷却器１１１付近に除霜ヒーター１１３を備える場合を図示している。なお、除霜ヒーター１１３も防露ヒーター１１２と同様に、霜が発生しやすい箇所であれば、商品の冷却に支障を来さない範囲で、どこに設置されてもよい。除霜ヒーター１１３は例えば、電熱線により実現される。
【００３１】
照明装置１１６は、ショーケース１１０の庫内を照らす機能を有する。照明装置１１６は、例えば、蛍光灯や、ＬＥＤ等により実現され、その点灯、消灯は、制御部９０６により制御される。ここでは、照明装置１１６は、複数の蛍光灯もしくはＬＥＤ電球からなり、個々に点灯、消灯を制御できるものとする。
送風ファン１１７は、その回転により、ショーケース１１０の庫内を通り、冷却器１１１での冷却を経た冷風を吐出口１１４から送出する機能を有する。送風ファン１１７の回転は、制御部９０６により制御される。
【００３２】
吸入ファン１１８は、その回転により、ショーケース１１０の庫内に冷却する対象となる空気を、吸込口１１５から吸い込む機能を有する。吸入ファン１１８の回転は、制御部９０６により制御される。
送風ファン１１７および吸入ファン１１８の働きにより、空気が庫内に吸い込まれ、冷却器１１１で冷却されて、商品棚に陳列する物品を冷やすための冷風が吐出口１１４から吹き出されるという空気の流れが形成される。
【００３３】
通信部９０１は、ショーケース１１０と接続されている各機器と通信を実行する機能を有する。
記憶部９０２は、ショーケース１１０が動作上必要とするプログラムやデータを記憶する機能を有し、例えば、ＲＡＭ、ＲＯＭ、フラッシュメモリ、ＨＤＤなどにより実現される。
【００３４】
制御部９０６は、プロセッサであり、ショーケース１１０の各部を制御する機能を有する。制御部９０６は、ショーケース１１０の庫内の温度状況や、湿度状況に応じて、冷却処理や湿度調整処理等の一般的な冷却機能付きのショーケース１１０が実行可能な処理の他、特に以下の処理を実行する機能を有する。
制御部９０６は、温度センサ１３０から伝達された温度、湿度センサ１４０から伝達された湿度について、それぞれに対して設定された閾値との比較を行って、その比較結果に応じた冷却処理、除霜処理、防露処理、照明制御処理の制御を行う機能を有する。
【００３５】
まず、冷却処理の具体的内容について説明する。なお、ここでは、ショーケース１１０は、冷却器の冷却度合について、弱、中、強の三段階の制御ができるものとして記載するが、より細かい温度設定ができてもよい。
制御部９０６は、温度センサ１３０から伝達された温度と、予め設定されている閾値Ｔ１とを比較するとともに、湿度センサ１４０から伝達された湿度と、予め設定されている閾値Ｈ１とを比較する。そして、温度センサ１３０から伝達された温度が閾値Ｔ１以上、かつ、湿度センサ１４０から伝達された湿度が閾値Ｈ１以上を満たす場合に、制御部９０６はショーケース１１０の冷却能力の設定値を強に設定する。これは、温度が閾値Ｔ１を超え、湿度が閾値Ｈ１を超えるということは、店舗１内が高温多湿になる可能性が高いことを意味する。従って、そのような場合には、ショーケース１１０においては、冷却処理の能力を強め、店舗１内が高温多湿になる状態に事前に対応し、設定温度を維持することができる。
【００３６】
冷却能力の制御手法については、従来から冷却機能付きのショーケースで利用されている技術を利用するものとし、ここではその詳細については説明を割愛する。
また、制御部６０５は、上述の条件を満たさない場合に、温度センサ１３０から伝達された温度と、予め設定されている閾値Ｔ２とを比較するとともに、湿度センサ１４０から伝達された湿度と、予め設定されている閾値Ｈ２とを比較する。そして、温度センサ１３０から伝達された温度が閾値Ｔ２未満、かつ、湿度センサ１４０から伝達された湿度が閾値Ｈ２未満を満たす場合に、制御部９０６はショーケース１１０の冷却能力を弱に設定する。
【００３７】
そして制御部９０６は、トラップ部１２０の温度と湿度が上述の二つの閾値Ｔ１、Ｔ２、Ｈ１、Ｈ２に関する条件を満たさない場合には、ショーケース１１０の冷却能力を中に設定する。
次に、除霜処理の制御について説明する。
ここでは、除霜処理は、一定期間置きに実行されることとし、霜取り実行期間の間隔はｔ１、ｔ２の２種が設定できるものとし、ｔ１＞ｔ２、即ち、ｔ１の方がｔ２よりも長いものとする。また、ここで、ｔ２は、ショーケース１１０において、通常行う霜取りの実行期間の間隔である。
【００３８】
制御部９０６は、温度センサ１３０から伝達された温度と、予め設定されている閾値Ｔ３とを比較するとともに、湿度センサ１４０から伝達された湿度と、予め設定されている閾値Ｈ３とを比較する。そして、温度センサ１３０から伝達された温度が閾値Ｔ３以上、かつ、湿度センサ１４０から伝達された湿度が閾値Ｈ３以上を満たす場合に、制御部９０６は除霜ヒーター１１３の霜取り間隔をｔ１に設定する。そして、それ以外の場合にはｔ２に設定する。これは、温度が閾値Ｔ３を超え、湿度が閾値Ｈ３を超えるということは、店舗１内が高温多湿になる状態になる可能性が高いことを意味し、従って、そのような場合には、ショーケース１１０においては、冷却処理の方により電力を回すことになるため、その分霜取りに回す電力を抑制する（霜取りを行わない期間を長くする）ことで、ショーケース１１０の省エネを図ることができる。
【００３９】
また、制御部９０６は、設定された霜取り間隔で霜取りを開始する際には、除霜ヒーター１１３を稼働させることを空気調和機１００に伝達する。
次に防露処理の制御について説明する。
制御部９０６は、温度センサ１３０から伝達された温度と、予め設定されている閾値Ｔ４とを比較するとともに、湿度センサ１４０から伝達された湿度と、予め設定されている閾値Ｈ４とを比較する。そして、温度センサ１３０から伝達された温度が閾値Ｔ４以上、かつ、湿度センサ１４０から伝達された湿度が閾値Ｈ４以上を満たす場合に、店舗１内が高温多湿になる可能性が高まり、結露が発生しやすくなるので、制御部９０６は防露ヒーター１１２を稼働させる。それ以外の場合には、防露ヒーター１１２は稼働させない。
【００４０】
また、制御部９０６は、防露ヒーター１１２を稼働させる際には、防露ヒーター１１２を稼働させることを空気調和機１００に伝達する。
最後に、ショーケース１１０の庫内を照らす照明の制御処理について説明する。
制御部９０６は、温度センサ１３０から伝達された温度と、予め設定されている閾値Ｔ５とを比較するとともに、湿度センサ１４０から伝達された湿度と、予め設定されている閾値Ｈ５とを比較する。そして、温度センサ１３０から伝達された温度が閾値Ｔ５以上、かつ、湿度センサ１４０から伝達された湿度が閾値Ｈ５以上を満たす場合に、制御部９０６は照明装置１１６の一部または全部を消灯する。それ以外の場合は、点灯させておく。これは、店舗１内が高温多湿になる可能性が高い場合には、ショーケース１１０の冷却能力を高める必要があり、冷却処理に電力をより多く回し、省エネを実現するための構成である。また、照明装置１１６も点灯しておくことによって、発熱するので、これを消灯することで、庫内温度の上昇を抑制することができる。
＜動作＞
ここから、空気調和システムの動作について説明する。
【００４１】
まず、図１０を用いて空気調和機１００の動作を説明する。図１０は、空気調和機１００の冷却処理に関する動作を示すフローチャートである。
図１０に示すように、空気調和機１００の制御部６０５は、温度センサ１３０および湿度センサ１４０から逐次送信されてくる温度情報および湿度情報により、トラップ部１２０の空気の温度および湿度を測定する（ステップＳ１００１）。
【００４２】
制御部６０５は、測定した温度と湿度について、それぞれを、閾値ＴＡ１および閾値ＨＡ１と比較する。その比較の結果、温度が閾値ＴＡ１以上、かつ、湿度が閾値ＨＡ１以上である場合には（ステップＳ１００２のＹＥＳ）、店舗１内が、より暑く湿気が強くなる可能性があるので、制御部６０５は、空気調和機１００の冷却能力を強める（ステップＳ１００３）。
【００４３】
温度が閾値ＴＡ１以上かつ湿度が閾値ＨＡ１以上でない場合に（ステップＳ１００２のＮＯ）、制御部６０５は、測定した温度と湿度について、それぞれを、閾値ＴＡ２と閾値ＨＡ２と比較する（ステップＳ１００４）。その比較の結果、温度が閾値ＴＡ２未満、かつ、湿度が閾値ＨＡ２未満である場合には（ステップＳ１００４のＹＥＳ）、店舗１内の温度が低下しすぎていることになるので、制御部６０５は空気調和機１００の冷却能力を弱める（ステップＳ１００５）。
【００４４】
次に、制御部６０５は、ショーケース１１０から除霜ヒーター１１３または防露ヒーター１１２がＯＮされたことを示す通知を受け付けているかを検出する（ステップＳ１００６）。
ショーケース１１０から除霜ヒーター１１３または防露ヒーター１１２のＯＮの通知を受け付けた場合には（ステップＳ１００６のＹＥＳ）、制御部６０５は、空気調和機１００の冷却能力を強める。ショーケース１１０から除霜ヒーター１１３または防露ヒーター１１２のＯＮの通知を受け付けていない場合には（ステップＳ１００６のＮＯ）、制御部６０５は、その時点の稼働状態を維持する。
【００４５】
制御部６０５は、図１０に示す処理を繰り返し実行する。これにより、制御部６０５は、トラップ部１２０の状態に応じた制御を実行し、店舗１内の状況がその後どのように変化するかを予測した制御が実行できる。即ち、本実施の形態によると、ドア１０から流入する店舗１内の室内温度よりも温度が高い空気は、上昇し、店舗１内においてトラップ部１２０にいち早く滞留することになる。したがって、トラップ部１２０の温度変化や湿度変化を検出することで、店舗１内が今後どのように変化するかの推察が可能になり、起こり得る変化に事前に対応した制御が実行できる。
次に、図１１〜図１４を用いてショーケース１１０の動作を説明する。
【００４６】
図１１は、ショーケース１１０の冷却処理に関する動作を示すフローチャートである。
ショーケース１１０の制御部９０６は、温度センサ１３０および湿度センサ１４０から逐次送信されてくる温度情報および湿度情報により、トラップ部１２０の空気の温度および湿度を測定する（ステップＳ１１０１）。
制御部９０６は、測定した温度と湿度について、それぞれを、閾値Ｔ１と閾値Ｈ１と比較する。その比較の結果、温度が閾値Ｔ１以上、かつ、湿度が閾値Ｈ１以上である場合には（ステップＳ１１０２のＹＥＳ）、店舗１内が、より暑く湿気が強くなる可能性があり、その影響を受けてショーケース１１０の庫内の温度も上がる可能性があるので、制御部９０６は、ショーケース１１０の冷却能力を強に設定する（ステップＳ１１０３）。
【００４７】
温度が閾値Ｔ１以上かつ湿度が閾値Ｈ１以上でない場合に（ステップＳ１１０２のＮＯ）、制御部９０６は、測定した温度と湿度について、それぞれを、閾値Ｔ２と閾値Ｈ２と比較する（ステップＳ１１０５）。その比較の結果、温度が閾値Ｔ２未満、かつ、湿度が閾値Ｈ２未満である場合には（ステップＳ１１０５のＹＥＳ）、店舗１内の温度が低下しすぎていることになるので、この場合は、ショーケース１１０をそれほど強く冷却せずとも商品の品質の維持が可能になるので、制御部９０６はショーケース１１０の冷却能力を弱に設定する（ステップＳ１１０６）。
【００４８】
温度が閾値Ｔ２未満かつ湿度が閾値Ｈ２未満でない場合に（ステップＳ１１０５のＮＯ）、制御部９０６はショーケース１１０の冷却能力を中に設定する（ステップＳ１１０７）。
そして、ショーケース１１０は制御部９０６により設定された内容での冷却を実行する（ステップＳ１１０４）。
【００４９】
制御部９０６は、図１１に示す処理を繰り返し実行する。これにより、ショーケース１１０は、トラップ部１２０の状態に応じた制御を実行し、店舗１内の状況がその後どのように変化するかを予測した制御が実行できる。
図１２は、ショーケース１１０の除霜処理に関する動作を示すフローチャートである。
【００５０】
ショーケース１１０の制御部９０６は、温度センサ１３０および湿度センサ１４０から逐次送信されてくる温度情報および湿度情報により、トラップ部１２０の空気の温度および湿度を測定する（ステップＳ１２０１）。
制御部９０６は、測定した温度と湿度について、それぞれを、閾値Ｔ３と閾値Ｈ３と比較する。その比較の結果、温度が閾値Ｔ３以上、かつ、湿度が閾値Ｈ３以上である場合には（ステップＳ１２０２のＹＥＳ）、店舗１内がより暑く湿気が強くなる可能性があり、その影響を受けてショーケース１１０の庫内の温度も上がる可能性があるので、冷却を実行する必要があるため、その冷却に電力を回すために、制御部９０６は、ショーケース１１０の除霜ヒーター１１３による霜取り間隔をｔ１に設定する（ステップＳ１２０３）。即ち、ショーケース１１０において除霜ヒーターをＯＮにする間隔を長くなるように設定する。
【００５１】
温度が閾値Ｔ３以上、かつ、湿度が閾値Ｈ３以上でない場合には（ステップＳ１２０２のＮＯ）、制御部９０６は、霜取り間隔をｔ２に設定する（ステップＳ１２０４）。つまり、ショーケース１１０において除霜ヒーター１１３をＯＮにする間隔をｔ１よりも短くなるように設定する。
そして、制御部９０６は、設定した間隔に従って、除霜ヒーター１１３をＯＮして霜取りを実行する（ステップＳ１２０５）。
【００５２】
除霜ヒーター１１３がＯＮされた場合、即ち、制御部９０６が除霜ヒーター１１３のＯＮを指示した場合には（ステップＳ１２０６のＹＥＳ）、制御部９０６は、除霜ヒーター１１３をＯＮにすることを空気調和機１００に通知する（ステップＳ１２０７）。
制御部９０６は、図１２に示す処理を繰り返し実行する。これにより、ショーケース１１０は、トラップ部１２０の状態に応じた制御を実行し、店舗１内の状況がその後どのように変化するかを予測した制御が実行できるとともに、除霜処理を実行することによる冷却能力の低下を、空気調和機による冷却により補填することができる。
図１３は、ショーケース１１０の防露処理に関する動作を示すフローチャートである。
【００５３】
ショーケース１１０の制御部９０６は、温度センサ１３０および湿度センサ１４０から逐次送信されてくる温度情報および湿度情報により、トラップ部１２０の空気の温度および湿度を測定する（ステップＳ１３０１）。
制御部９０６は、測定した温度と湿度について、それぞれを、閾値Ｔ４と閾値Ｈ４と比較する。その比較の結果、温度が閾値Ｔ４以上、かつ、湿度が閾値Ｈ４以上である場合には（ステップＳ１３０２のＹＥＳ）、店舗１内がより暑く湿気が強くなる可能性があり、その影響を受けてショーケース１１０に結露が発生しやすくなるため、制御部９０６は、ショーケース１１０の防露ヒーター１１２をＯＮにする（ステップＳ１３０３）。
【００５４】
そして、制御部９０６は、防露ヒーター１１２をＯＮにしたことを空気調和機１００に通知する（ステップＳ１３０４）。
温度が閾値Ｔ４以上、かつ、湿度が閾値Ｈ４以上でない場合には（ステップＳ１３０２のＮＯ）、制御部９０６は、防露ヒーター１１２をＯＦＦにする（ステップＳ１３０５）。
【００５５】
制御部９０６は、図１３に示す処理を繰り返し実行する。これにより、ショーケース１１０は、トラップ部１２０の状態に応じた制御を実行し、店舗１内の状況がその後どのように変化するかを予測した制御が実行できるとともに、防露処理を実行するによる冷却能力の低下を、空気調和機による冷却により補填することができる。
図１４は、ショーケース１１０の照明制御処理に関する動作を示すフローチャートである。
【００５６】
ショーケース１１０の制御部９０６は、温度センサ１３０および湿度センサ１４０から逐次送信されてくる温度情報および湿度情報により、トラップ部１２０の空気の温度および湿度を測定する（ステップＳ１４０１）。
制御部９０６は、測定した温度と湿度について、それぞれを、閾値Ｔ５と閾値Ｈ５と比較する。その比較の結果、温度が閾値Ｔ５以上、かつ、湿度が閾値Ｈ５以上である場合には（ステップＳ１４０２のＹＥＳ）、店舗１内がより暑く湿気が強くなる可能性があり、そのためショーケース１１０は、冷却処理により多くの電力を消費することになるため、ショーケース１１０の冷却を妨げないように、制御部９０６は、熱負荷となる照明装置１１６の一部または全部を消灯する（ステップＳ１４０３）。
【００５７】
温度が閾値Ｔ５以上かつ湿度が閾値Ｈ５以上でない場合には（ステップＳ１４０２のＮＯ）、制御部９０６は、照明装置１１６のうち、点灯していないものがある場合には、それを点灯させ、点灯していないものがない、もしくは、一定以上の個数の照明が点灯している場合には、何もせずに処理を終了する。
制御部９０６は、図１４に示す処理を繰り返し実行する。これにより、ショーケース１１０は、トラップ部１２０の状態に応じた制御を実行し、店舗１内の状況がその後どのように変化するかを予測した制御が実行できる。照明装置１１６を点灯していると、電力を消費するとともに、点灯による熱が発生する。そのため冷却能力を上げる場合には、照明装置１１６に回している電力を抑制するとともに、消灯により発熱も抑制することができる。
＜まとめ＞
本発明に係る空気調和システムにおいては、建物内部において比較的温度の高い空気を集める（滞留させることのできる）トラップ部を設け、そのトラップ部に滞留した温度の高い空気を空気調和機に吸い込ませて冷却させることで、冷却効率を高めることができる。
【００５８】
また、空気調和機から冷風を吹き出す送風口の位置をショーケース付近に設けることで、ショーケース付近を他よりも優先的に冷却することができる。そのため、ショーケースが陳列される商品を冷却する負荷が軽減され、ショーケースの消費電力を節減できる。したがって、ショーケースは陳列される物品を効果的に冷却することができる。
また、トラップ部に温度センサ、湿度センサを設けることで、空気調和機およびショーケースはいち早く流入する外気の状態を知ることができ、それに応じて冷却能力を高めたりすることができる。
【００５９】
したがって、出入口からの人の出入りが多くなり、高温多湿の空気がより多く流入したとしても、空気調和機やショーケースの冷却能力により、ショーケース内の商品の品質は一定に保たれることになる。
＜変形例＞
上記実施の形態に従って、本発明に係る空気調和システムについて説明してきたが、本発明はこれに限られるものではない。以下、本発明の思想として含まれる各種変形例について説明する。
【００６０】
（１）上記実施の形態においては、トラップ部１２０は、天井部分において一段高い天井を設けることで形成している。しかし、これは他よりも高い温度の空気が集まりやすい（滞留しやすい）構造になっていれば、その他の構造であってもよい。以下に、トラップ部として取り得る構成例について、何点か説明する。
トラップ部１２０は、基本的に、ドア１０から流入してくる店舗１内部よりも温度の高い空気が滞留する構造になっていればよい。したがって、天井を一段高くする構造以外でもよく、図１５に示すように、ドア１０から天井を伝って店舗１奥方向に流入しようとする温度の高い空気をせき止めるように、天井の途中に衝立１５００を設け、その衝立１５００により区切られる区域のドア１０側をトラップ部１２０としてもよい。
【００６１】
このようにした場合、衝立１５００付近では、温度の高い空気がループするようになるとともに、空気調和機１００が吸気口１０１から、その温度の高い空気を吸い込んで冷却するので、衝立１５００を超えて店の奥方向に流入する温度の高い空気の流入量を減少させることができる。図１５のように、トラップ部１２０を形成するために、衝立１５００を用いるような場合には、空気調和機１００は天井裏に設置することができる。ただし、この場合にも、吸気口１０１はトラップ部１２０側、送風口１０５は、トラップ部１２０とは反対側に構成する。これにより、送風口１０５をトラップ部１２０側に設けた場合のように、せっかくトラップ部１２０に集めた店舗１内の温度の高い空気をかき乱し、その結果、温度の高い空気と、冷風とが混ざってしまい、吸気口１０１から吸入する気体は、冷風により温度が中和された空気になってしまい、店舗１内の冷却効率の低下を防止できる。
【００６２】
図１５に示す衝立１５００は取り外しができるように構成されていてもよいし、あるいは、機械仕掛けで、伸縮自在に伸ばして、衝立になるようにしたり、格納して、空気が素通りできるようにしたりしてもよい。
また、あるいは、トラップ部１２０は、上記実施の形態においては、出入口側から見て左右に全面一段高くする構造にしているが、これは全面である必要はなく、単に天井が一段高くなっている構造になっていればよいので、図１６（ａ）に示すように、天井の一部が一段高くなる構造部分をトラップ部１２０としてもよい。また、この凹みの形状も立方体形状である必要はなく、三角柱や円柱状であってもよい。
【００６３】
また、図１６（ｂ）および図１７に示すように、図１に示すトラップ部１２０を、吸気口部分だけ、更に凹ませるような、コの字型に形成してもよい。また、吸気口１０１の前部分をトラップ部１２０の中でも更に高くなるように構成して、より温度の高い空気が吸気口１０１前に集まるように構成してもよい。なお、図１７は、図１６（ｂ）に示すトラップ部の構成を示す店舗１の平面図である。
【００６４】
なお、図１６（ａ）および図１６（ｂ）は、店舗１を出入口側下側から見た場合の図を示している。
このようなトラップ部１２０は、店舗１を建築する段階から構成することとしてもよいし、既にある店舗１の天井の一部を取り払い、取り払った箇所に側壁を設ける形で形成してもよい。
【００６５】
（２）上記実施の形態１に示したように、オープン型のショーケース１１０の場合には、ショーケース１１０の庫内の冷却は、冷風が吐出口１１４から吹き降ろすことにより形成されるエアーカーテンによるところが大きい。そのため、そのエアーカーテンが送風口１０５から送出される冷風によりかき乱される場合には、冷却効果が低下する可能性があるため、好ましくない。
【００６６】
そこで、送風口１０５からの冷風が直接ショーケース１１０にあたらないように、空気調和システムは、その冷風をある程度遮へいする遮へい部を設けていてもよい。
即ち、例えば、図１８に示すように、天井部分に、送風口１０５とショーケース１１０との間に衝立１８０１を遮へい部として設けることとしてもよい。
あるいは、図１９に示すように、ショーケース１１０に庇１９０１を設け、これを遮へい部とすることとしてもよい。
【００６７】
このように、冷風が直接あたらないようにする遮へい部を設けることで、ショーケース１１０のエアーカーテン効果を損なう可能性を低減することができる。
なお、遮へい部を設けることができない場合などには、送風口１０５から送出される冷風が、なるべく、ショーケース１１０の吐出口１１４から吹き出す冷風と同方向に吹き出すように、送風口１０５の配置箇所および送風口１０５からの冷風の吹き出し方向を調整するとよい。
【００６８】
（３）上記実施の形態においては、空気調和システムを備える店舗１においては、単に、天井が他の天井よりも一段高くなっている部分を設けてトラップ部１２０を構成したが、より吸気口１０１付近に、店舗１内において温度の高い空気が集まるような構成を備えてもよい。
例えば、図２０に示すように、図３に示した空気調和システムにおいて、トラップ部１２０の天井を傾斜させて、店舗１内の温度の高い空気を、より吸気口１０１付近に集まりやすくなるように構成してもよい。なお、この傾斜させている天井は、湾曲させてもよい。
【００６９】
（４）上記実施の形態においては、空気調和機１００およびショーケース１１０は、トラップ部１２０の温度と湿度双方が閾値条件を満たした場合に、冷却処理や防露処理等の設定値の変更を行うこととしている。
しかし、この制御はあくまで一例であり、店舗１内が快適に保たれ、ショーケースの庫内の商品の品質を保つ方向の制御でありさえすれば、双方の閾値が条件を満たさなくともよく、店舗１の環境に応じて、温度あるいは湿度の一方の条件が満たされただけで、制御を実行することとしてもよい。
【００７０】
また、あるいは、店舗１の空気調和システムのオペレーターが、温度と湿度を入力とし、顧客が店内にいて快適と感じるように、かつ、ショーケース１１０内の商品の品質が一定に保たれるように、冷却器の温度を設定値および送風ファンの回転数の設定値を出力する関数を、空気調和機１００やショーケース１１０の制御部に設定して、その関数の出力値に基づく空気調和機１００やショーケース１１０の制御を実行することとしてもよい。
【００７１】
当該条件は、空気調和システムのオペレーターが適宜空気調和機１００やショーケース１１０に設定するとよい。
また、上記実施の形態においては、空気調和機１００およびショーケース１１０は、トラップ部１２０の温度と湿度によって、冷却処理等の動作を制御するとしているが、トラップ部１２０から得られる情報以外、即ち、ショーケース１１０の庫内温度、あるいは、庫内湿度、設定温度などの情報も用いて冷却処理等の動作を制御してもよいことはいうまでもない。
【００７２】
（５）上記実施の形態においては、空気調和機１００は吸気口１０１および送風口１０５と直接接続されるような構成を示しているが、これはその限りではない。吸気口から吸い込まれた空気が空気調和機１００内部を通過し、送風口１０５から送出される構造にさえなっていればよく、例えば、吸気口１０１と空気調和機１００とをダクトで接続、あるいは、空気調和機１００と送風口１０５とをダクトで接続するというような構成をとってもよい。この場合、空気調和機１００の設置個所の自由度をあげることができる。
【００７３】
（６）上記実施の形態においては、トラップ部１２０に設けた温度センサ１３０および湿度センサ１４０からの情報に基づいて、空気調和機１００やショーケース１１０は冷却処理等を行う例を示した。しかし、これはその限りではなく、店舗１内の温度や湿度の変化が予め推定できる要素をもった情報であれば、温度センサ１３０や湿度センサ１４０以外の情報を用いてもよい。
【００７４】
例えば、出入口の開閉を検出する開閉センサを扉に設け、開閉センサが開いたことを検出するとその旨を空気調和機１００やショーケース１１０に通知する。そして、開閉センサが出入口が開いたことを検出すると、空気調和機１００は、吸気口１０１から吸気する量を増やしたり、ショーケース１１０は冷却能力を強めたりする制御を行ってもよい。
あるいは、出入口が開く都度ではなく、開閉センサが所定時間内の「開」を通知した回数に応じて制御を行うこととしてもよい。例えば開閉回数が一定数以上である場合には、温かい外気が多く流入することになるので、空気調和機１００やショーケース１１０は、より強く冷却するように制御を行えばよい。逆に開閉回数が一定数以下である場合には、温かい外気はそれほど多く流入しないことになるので、それまでの店舗内温度に応じて冷却の度合いを維持したり弱めたりする制御を行ってもよい。
【００７５】
（７）上記実施の形態において、トラップ部１２０が必要となるのは、主として、店舗１外が暑い季節になる。したがって、そうでない季節においては、トラップ部１２０を隠すように天井を設けてもよい。例えば、トラップ部１２０を隠して他の天井部分と同じ高さとするような蓋や、引き戸を設けてもよい。また、そのような場合であって、空気調和機１００を暖房機として用いる場合には、その天井に空気穴を設けて、店舗１内の空気を暖めることとしてもよい。
【００７６】
（８）上記実施の形態においては、空気調和機１００の冷却処理について、温度と湿度の閾値の比較と、ショーケース１１０からの除霜ヒーターあるいは防露ヒーターの稼働の通知とが連動しているように記載しているが、これらは独立に処理されてもよいことはいうまでもない。
（９）上記実施の形態においては、空気調和機１００やショーケース１１０が冷却処理の制御や防露処理の制御等を行うためのトリガとして、温度や湿度を予め定めた閾値との比較結果をトリガとしていた。しかし、これはその限りではない。
【００７７】
例えば、トラップ部１２０に滞留する空気の、単位時間当たりの温度上昇（下降）率、あるいは単位時間当たりの湿度上昇（下降）率の度合いに応じた制御を行うこととしてもよい。
もしくは、もう少し単純化して、最新の温度と湿度とを、その一つ前で測定した温度と湿度とで比較し、その差分（上昇幅）が予め定めた閾値を超えたか否かに応じた制御を行うこととしてもよい。
【００７８】
（１０）上記実施の形態においては、ショーケース１１０の照明制御処理について、そのＯＮ／ＯＦＦで説明したが、消灯は減灯であってもよい。即ち、照明装置１１６に回す電力を抑制できるのであれば、照明の照度を低減させる（照明の明るさを暗くする）処理であってもよい。
（１１）上記実施の形態においては、１つの部屋を有する１店舗に空気調和システムを構成する例を示したが、これはその限りではない。複数の部屋から構成される建物の各部屋に構成することとしてもよいし、一部の部屋にのみ構成することとしてもよい。
【００７９】
（１２）上記実施の形態においては、ショーケース１１０から除霜ヒーター１１３あるいは防露ヒーター１１２ＯＮの通知を受けて、空気調和機１００が冷却能力を高めることを記載しているが、空気調和システムでは、更に、ショーケース１１０が除霜ヒーター１１３あるいは防露ヒーター１１２ＯＦＦを通知し、空気調和機１００が当該通知に対応して、冷却能力を元に戻す（弱める）構成も備えていても良いことは言うまでもない。
【００８０】
（１３）上記実施の形態においては、空気調和機１００において、送風口１０５付近に送風ファン１０４を設ける構成を示した。この送風ファン１０４は、上述の通り、空気調和機１００内の空気の流れを作るためのものであり、配置箇所は、送風口１０５付近とは限らない。例えば、送風ファン１０４に換えて、吸気口１０１付近に、吸気ファンを設けてこれを回転させることで、吸気口１０１から空気を吸い込み、送風口１０５から冷風を送り出す流れを形成してもよい。また、送風ファンと吸気ファンの双方を設ける構成にしてもよいし、ファンをフィルタの後段、冷却器の前段の位置に設けることとしてもよい。
【００８１】
（１４）上記実施の形態においては、空気調和機１００とショーケース１１０はそれぞれの制御部が各機器の制御を行うこととしているが、上記実施の形態で示した各機器の動作（図１０〜図１４参照）を制御でき、空気調和機１００及びショーケース１１０と通信可能な管理サーバを空気調和システムに設け、当該管理サーバが空気調和機１００およびショーケース１１０を制御するように構成してもよい。
【００８２】
（１５）上記実施の形態においては、冷却システムは空気調和機１００を含むこととしているが、空気調和機１００は必ずしも必要ではない。冷却システムは、建物内に流入する暖かい外気（建物内で比較的温度の高い空気）を効率よく収集（滞留）させることのできるトラップ部１２０と、トラップ部１２０の空気の温度を検出し、逐次、ショーケース１１０に検出した温度を伝達する温度センサ１３０、及び／または、トラップ部１２０の空気の湿度を検出し、逐次、ショーケース１１０に検出した湿度を伝達する湿度センサ１４０と、ショーケース１１０があればよい。
【００８３】
（１６）上述の実施形態で示した空調処理に係る動作、ショーケースの冷却処理等（図１０〜１４参照）を空気調和機やショーケース等のプロセッサ、及びそのプロセッサに接続された各種回路に実行させるためのプログラムコードからなる制御プログラムを、記録媒体に記録すること、又は各種通信路等を介して流通させ頒布させることもできる。このような記録媒体には、ＩＣカード、ハードディスク、光ディスク、フレキシブルディスク、ＲＯＭ等がある。流通、頒布された制御プログラムはプロセッサに読み出され得るメモリ等に格納されることにより利用に供され、そのプロセッサがその制御プログラムを実行することにより、実施形態で示したような各種機能が実現されるようになる。
【００８４】
（１７）上記実施の形態に示した空気調和機１００やショーケース１１０の各機能部は、その機能を実行する回路として実現されてもよいし、１または複数のプロセッサによりプログラムを実行することで実現されてもよい。また、上記実施の形態の蓄電池パックは、ＩＣ（Integrated Circuit）、ＬＳＩ（Large Scale Integration）その他の集積回路のパッケージとして構成されるものとしてもよい。このパッケージは各種装置に組み込まれて利用に供され、これにより各種装置は、各実施形態で示したような各機能を実現するようになる。
【００８５】
なお、各機能ブロックは典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００８６】
（１８）上記実施の形態および変形例に示す各種変形例を組み合わせることとしてもよい。
＜補足＞
本発明の一実施形態に係る冷却システムおよびその効果について説明する。
【００８７】
（Ａ）本発明の一実施形態に係る冷却システムは、建物を構成する部屋の天井面の一部分に、前記部屋内の温度の高い空気が滞留するように形成したトラップ部と、前記トラップ部に滞留している空気に関する情報を取得するセンサと、前記部屋内に設置される冷却装置付きのショーケースと、を備え、前記ショーケースは、前記センサが取得する情報を用いて、庫内の冷却に関する動作を制御することを特徴とする。
【００８８】
ここで、部屋内の温度の高い空気とは、部屋内において、空気の温度が一様でない場合においてその中でも比較的温度が高い空気のことであり、トラップ部が天井面の一部分に設けられることにより自然と滞留することになる空気のことである。例えば、部屋内で冷房を効かせているときに、出入口から外の暖かい外気が流入する場合などに、その外気が、元の部屋内の空気よりも滞留しやすくなる。
【００８９】
これにより、店舗内に流入する高温の外気は、店舗内に拡散する前にトラップ部に滞留する。従って、ショーケースは、トラップ部に滞留する空気に関する情報を取得することで、店舗内に流入する高温の外気に対して、ショーケースの周囲の温度が上昇する前に、対応することができる。
（Ｂ）上記（Ａ）に記載の冷却システムにおいて、前記部屋は壁面を有し、当該壁面には、出入口が設けられ、前記トラップ部は、前記出入口付近であって、前記出入口の上方に設けられ、前記トラップ部には、前記出入口から前記部屋内に流入した前記部屋内にあった空気よりも温度の高い空気を滞留することとしてもよい。
【００９０】
これにより、トラップ部を出入口付近上方に形成することで、出入口から流入する温度の高い空気を効果的に滞留させることができる。
（Ｃ）上記（Ａ）または（Ｂ）に記載の冷却システムにおいて前記トラップ部は、前記天井面の一部を窪ませて形成されることとしてもよい。
この構成により、天井の一部を窪ませているので、天井全体で見た場合に、一段高い天井があることになる。従って、店舗内の空気との温度差により上昇する温度が高い空気を効果的に滞留させることができる。
【００９１】
（Ｄ）上記（Ｂ）に記載の冷却システムにおいて、前記トラップ部は、前記出入口から流入し、前記天井を伝って前記部屋の奥方向に流入する空気をせき止める衝立を、建物の天井面に設けて形成されることとしてもよい。
この構成により、天井に衝立を設けているので、出入口から流入する空気をせき止めることができる。温度の高い空気は、この衝立で一旦せき止められ、一部は下降してしまうが、温度が周囲よりも高いために再度上昇し、トラップ部でループする形で、トラップ部に留まることになる。その結果、トラップ部に温度が高い空気を効果的に滞留させることができる。
【００９２】
（Ｅ）上記（Ａ）〜（Ｄ）の何れかに記載の冷却システムにおいて、前記センサは、前記トラップ部に滞留している空気の温度、及び／又は、湿度を測定し、前記ショーケースは、前記センサが測定した温度、及び／又は、湿度を用いて、庫内の冷却に関する動作を制御することとしてもよい。
これにより、トラップ部に滞留する空気の温度又は湿度に応じて、ショーケース周囲の温度及び／又は湿度が上昇する前にショーケースの庫内の冷却に関する動作を制御することができる。
【００９３】
（Ｆ）上記（Ｅ）に記載の冷却システムにおいて、前記ショーケースは、さらに、前記ショーケースで発生する結露を防ぐ防露装置を備え、前記センサが測定した温度、及び／又は、湿度が所定値以上の場合、前記防露装置の防露能力を増大させることとしてもよい。
この構成により、ショーケースの周囲の温度又は湿度が上昇による、ショーケースでの結露の発生を低減することができる。
【００９４】
（Ｇ）上記（Ｅ）または（Ｆ）に記載の冷却システムにおいて、前記ショーケースは、前記センサが測定した温度、及び／又は、湿度が所定値以上の場合、前記冷却装置の冷却能力を増大させることとしてもよい。
この構成により、ショーケースの周囲の温度又は湿度が上昇する前に冷却装置の冷却能力を増大させ、庫内に陳列されている商品の温度上昇を低減することができる。
【００９５】
（Ｈ）上記（Ｅ）〜（Ｇ）の何れかに記載の冷却システムにおいて、前記ショーケースは、さらに、ショーケース内部の除霜を行う除霜装置を備え、前記センサが測定した温度、及び／又は、湿度が所定値以上の場合、通常時よりも長い除霜間隔で前記除霜装置を動作させることとしてもよい。
この構成により、消費電力の大きい霜取り動作を行う間隔が長くなるので、ショーケースの消費電力が節減される。
【００９６】
（Ｉ）上記（Ｅ）〜（Ｈ）の何れかに記載の冷却システムにおいて、前記ショーケースは、さらに、庫内を照らす照明装置を備え、前記センサが測定した温度、及び／又は、湿度が所定値以上の場合、前記照明装置を減灯させることとしてもよい。
照明装置を減灯させることでショーケースの消費電力が節減される。さらに、照明装置の発熱量が低減するため、庫内の商品を冷却するための負荷が軽減される。
【００９７】
（Ｊ）上記（Ｅ）に記載の冷却システムにおいて、前記ショーケースは、さらに、前記ショーケースで発生する結露を防ぐ防露装置を備え、前記センサが測定した温度、及び／又は、湿度の上昇幅が所定値以上の場合、前記防露装置の防露能力を増大させることとしてもよい。
この構成により、ショーケースの周囲の温度又は湿度が上昇による、ショーケースでの結露の発生を低減することができる。
【００９８】
（Ｋ）上記（Ｅ）または（Ｊ）に記載の冷却システムにおいて、前記ショーケースは、前記センサが測定した温度、及び／又は、湿度の上昇幅が所定値以上の場合、前記冷却装置の冷却能力を増大させることとしてもよい。
この構成により、ショーケースの周囲の温度又は湿度が上昇する前に冷却装置の冷却能力を増大させ、庫内に陳列されている商品の温度上昇を低減することができる。
【００９９】
（Ｌ）上記（Ｅ）、（Ｊ）または（Ｋ）に記載の冷却システムにおいて、前記ショーケースは、さらに、ショーケース内部の除霜を行う除霜装置を備え、前記センサが測定した温度、及び／又は、湿度の上昇幅が所定値以上の場合、通常時よりも長い除霜間隔で前記除霜装置を動作させることとしてもよい。
この構成により、消費電力の大きい霜取り動作を行う間隔が長くなるので、ショーケースの消費電力が節減される。
【０１００】
（Ｍ）上記（Ｅ）、（Ｊ）〜（Ｌ）の何れかに記載の冷却システムにおいて、前記ショーケースは、さらに、庫内を照らす照明装置を備え、前記センサが測定した温度、及び／又は、湿度の上昇幅が所定値以上の場合、前記照明装置を減灯させることとしてもよい。
照明装置を減灯させることでショーケースの消費電力が節減される。さらに、照明装置の発熱量が低減するため、庫内の商品を冷却するための負荷が軽減される。
【０１０１】
（Ｎ）本発明に係る建築物は、部屋と、前記部屋の天井面の一部分に、前記部屋内の温度の高い空気が滞留するように形成したトラップ部と、前記トラップ部に滞留している空気に関する情報を取得するセンサと、前記部屋内に設置される冷却装置付きのショーケースと、を備え、前記ショーケースは、前記センサが取得する情報を用いて冷却に関する動作を制御することとしてもよい。
【０１０２】
また、前記建築物において、前記部屋は壁面を有し、当該壁面には、出入口が設けられ、前記トラップ部は、前記出入口付近であって、前記出入口の上方に設けられ、前記トラップ部には、前記出入口から前記部屋内に流入した前記部屋内にあった空気よりも温度の高い空気を滞留することとしてもよい。
また、前記建築物において、前記トラップ部は、前記天井面の一部を凹ませて形成されることとしてもよい。
【０１０３】
また、前記建築物において、前記トラップ部は、前記出入口から前記天井を伝って前記部屋の奥方向に流入する空気をせき止める衝立を、建物の天井面に設けて形成されることとしてもよい。
これらの構成によれば、店舗内に流入する高温の外気は、店舗内に拡散する前にトラップ部に滞留する。従って、ショーケースは、トラップ部に滞留する空気に関する情報を取得することで、店舗内に流入する高温の外気に対して、ショーケースの周囲の温度が上昇する前に、対応することができる。
【産業上の利用可能性】
【０１０４】
本発明に係る冷却システムは、冷却効率を高め、省エネにも貢献できるシステムとして、人の出入りの激しい店舗等に活用することができる。
【符号の説明】
【０１０５】
１  店舗
１０  出入口
１００  空気調和機
１０１  吸気口
１０２  フィルタ
１０３  冷却器
１０４  送風ファン
１０５  送風口
１１０  ショーケース
１１１  冷却器
１１２  防露ヒーター
１１３  除霜ヒーター
１１４  吐出口
１１５  吸込口
１２０  トラップ部
１３０  温度センサ
１４０  湿度センサ
６０１  通信部
６０２  記憶部
６０５  制御部
９０１  通信部
９０２  記憶部
９０６  制御部
１５００  衝立
１８０１  衝立
１９０１  庇
【図１】
2015148351.tif 000003
【図２】
2015148351.tif 000004
【図３】
2015148351.tif 000005
【図４】
2015148351.tif 000006
【図５】
2015148351.tif 000007
【図６】
2015148351.tif 000008
【図７】
2015148351.tif 000009
【図８】
2015148351.tif 000010
【図９】
2015148351.tif 000011
【図１０】
2015148351.tif 000012
【図１１】
2015148351.tif 000013
【図１２】
2015148351.tif 000014
【図１３】
2015148351.tif 000015
【図１４】
2015148351.tif 000016
【図１５】
2015148351.tif 000017
【図１６】
2015148351.tif 000018
【図１７】
2015148351.tif 000019
【図１８】
2015148351.tif 000020
【図１９】
2015148351.tif 000021
【図２０】
2015148351.tif 000022